(57)【特許請求の範囲】
【請求項１】
コンピューターにより実行される、インクジェット印刷装置のインク総量を確定する方法であって、
サンプリング図を印刷するステップと、
測定手段によって前記サンプリング図の色を測定するステップと、
前記測定手段による測定結果に基いてインク総量を確定するステップと、
を含み、
前記色にはシアンＣ、マゼンタＭ、イエローＹとブラックＫを含み、
前記サンプリング図を印刷するステップにおいては、
等量のＣＭＹ３色からなる一連のグレーブロックを印刷し、
等量のＣＭＹＫ４色からなる一連のグレーブロックを印刷することを特徴とする方法。
【請求項２】
前記サンプリング図において等量のＣＭＹ３色からなるグレーが順次に逓増する網点のパーセントの集合をＴＤ＝｛ａ１，ａ２，．．．，ａｉ，．．．，ａｍ｝、ａｉ∈［０，１００％］にて示し、
ただし、ａｉは等量のＣＭＹ３色からなるグレーの第ｉ網点のパーセントを示し、
ｍは等量のＣＭＹ３色からなるグレーのカラーブロックの個数を示し、
前記サンプリング図において等量のＣＭＹＫ４色からなるグレーが順次に逓増する網点のパーセントの集合をＱＤ＝｛ｂ１，ｂ２，．．．．．．，ｂｉ，．．．．．．，ｂｎ｝、ｂｉ∈［０，１００％］にて示し、
ただし、ｂｉは等量のＣＭＹＫ４色からなるグレーの第ｉ網点のパーセントを示し、
ｎは等量のＣＭＹＫ４色からなるグレーのカラーブロックの個数を示し、
カラーブロックの網点のパーセントが、ａ１≧ｂ１、ａｍ＝ｂｎ＝１００％という関係を満たしており、
前記サンプリング図を印刷するステップにおいては、
等量のＣＭＹ３色からなり、かつ、ＴＤにて表される一連のグレーブロックを印刷し、
等量のＣＭＹＫ４色からなり、かつ、ＱＤにて表される一連のグレーブロックを印刷することを特徴とする請求項１に記載の方法。
【請求項３】
前記サンプリング図において等量のＣＭＹ３色からなるグレーブロックの色集合をＴＣ＝｛ｐ１，ｐ２，．．．．．．，ｐｉ，．．．．．．，ｐｍ｝にて示し、
ただし、ｐｉは等量のＣＭＹ３色からなるグレーブロックにおける第ｉ網点の色を示し、
前記サンプリング図において等量のＣＭＹＫ４色からなるグレーブロックの色集合をＱＣ＝｛ｑ１，ｑ２，．．．．．．，ｑｉ，．．．．．．，ｑｎ｝にて示し、
ただし、ｑｉは等量のＣＭＹＫ４色からなるグレーブロックにおける第ｉ網点の色を示し、
前記測定手段によって前記サンプリング図の色を測定するステップにおいては、等量のＣＭＹ３色からなる一連のグレーブロックを測定し、前記測定結果としてＴＭ＝｛ｓ１，ｓ２，．．．．．．，ｓｉ，．．．．．．，ｓｍ｝を取得し、等量のＣＭＹＫ４色からなる一連のグレーブロックを測定し、前記測定結果としてＱＭ＝｛ｔ１，ｔ２，．．．．．．，ｔｉ，．．．．．．，ｔｎ｝を取得し、
ただし、ｓｉは集合ＴＣにおけるカラーブロックｐｉの測定値を示し、
ｔｉは集合ＱＣにおけるカラーブロックｑｉの測定値を示し、
ｐｉ＝｛Ｃｉ＋Ｍｉ＋Ｙｉ｝にて表されるＣｉ、Ｍｉ、Ｙｉは、等量のＣＭＹ３色からなるグレーブロックの第ｉ網点におけるＣ、Ｍ、Ｙの網点のパーセントをそれぞれ示し、かつ、Ｃｉ＝Ｍｉ＝Ｙｉ＝ａｉという関係を満足し、
ｑｉ＝｛Ｃｉ＋Ｍｉ＋Ｙｉ＋Ｋｉ｝にて表されるＣｉ、Ｍｉ、Ｙｉ、Ｋｉは、等量のＣＭＹＫ４色からなるグレーブロックの第ｉ網点におけるＣ、Ｍ、Ｙ、Ｋの網点のパーセントをそれぞれ示し、かつ、Ｃｉ＝Ｍｉ＝Ｙｉ＝Ｋｉ＝ｂｉという関係を満たしていることを特徴とする請求項２に記載の方法。
【請求項４】
前記測定結果に基いてインク総量を確定するステップにおいては、
下記の式１により等量のＣＹＭ３色からなるグレーを計算し、
【数１】
0005953316.tif 000008
ただし、Ｓｕｍｘ１、Ｓｕｍｙ、Ｓｕｍｘ０、Ｓｕｍｘｙ及びｔｅｍｐは、下記の式２により表され、
【数２】
0005953316.tif 000009
上記の式１に基いてｓｐ３を計算する場合において、上記の式２のｎｕｍはｍであり、ｘ［ｉ］は前記サンプリング図における等量のＣＹＭ３色からなるグレーの第ｉ網点のパーセントａｉを示し、ｙ［ｉ］は、前記測定手段によって測定された等量のＣＹＭ３色からなるグレーの第ｉ網点の測定値ｓｉを示しており、
等量のＣＹＭＫ４色からなるグレーについて、第１網点から、毎回に連続的なｔ個の網点ずつを取り、ｔ∈［３,ｎ］、下記の式３により順次に計算し、
【数３】
0005953316.tif 000010
上記の式３に基いてｓｐ４を計算する場合において、上記の式２のｎｕｍはｔであり、ｘ［ｉ］は前記サンプリング図における等量のＣＹＭＫ４色からなるグレーの第ｉ網点のパーセントｂｉを示し、ｙ［ｉ］は、前記測定手段によって測定された等量のＣＹＭＫ４色からなるグレーの第ｉ網点の測定値ｔｉを示しており、
具体的には、
１回目：点１、２、．．．．．．、１＋ｔを取って式３に代入し、ｓｐ４［１］を計算し、
２回目：点２、３、．．．．．．、２＋ｔを取って式３に代入し、ｓｐ４［２］を計算し、
．．．．．．
ｉ回目：点ｉ、ｉ＋１、．．．．．．、ｉ＋ｔを取って式３に代入し、ｓｐ４［ｉ］を計算し、
．．．．．．
ｎ−ｔ回目：点ｎ−ｔ、ｎ−ｔ＋１、．．．．．．、ｎを取って式３に代入し、ｓｐ４［ｎ−ｔ］を計算し、
等量のＣＹＭＫ４色からなるグレーについて、ｓｐ４［ｉ＋１］＜ｓｐ４［ｉ］＊係数ＮＬまたはｓｐ４［ｉ＋１］＜ｓｐ３＊係数ＮＬの条件を満たしている第ｉ網点を探し出すことができた場合、探し出した第ｉ網点のパーセントをｋ１とし、インク総量Ｏｕｔ１＝ｋ１＊４と確定し、
前記条件を満たしている第ｉ網点を探し出せなかった場合、インク総量Ｏｕｔ１＝４００％と確定することを特徴とする請求項３に記載の方法。
【請求項５】
前記測定結果に基いてインク総量を確定するステップにおいては、
網点のパーセントを横軸とし、前記測定手段による測定値を縦軸とした場合、ＱＤとＱＭによって示された曲線において、前記測定手段による測定値であるｓｍと同じ値を探し出すことができたとき、前記曲線において前記同じ値に対応する網点のパーセントをｋ２とし、インク総量Ｏｕｔ２＝ｋ２＊４と確定し、
前記同じ値を探し出せなかったとき、インク総量Ｏｕｔ２＝４００％と確定することを特徴とする請求項３に記載の方法。
【請求項６】
前記測定結果に基いてインク総量を確定するステップにおいては、
網点のパーセントを横軸とし、前記測定手段による測定値を縦軸とした場合、ＴＤとＴＭによって示された曲線と、ＱＤとＱＭによって示された曲線との交差点Ｃを探し出すことができたとき、探し出した交差点Ｃに対応する網点のパーセントをｋ３とし、インク総量Ｏｕｔ３＝ｋ３＊４と確定し、
前記交差点Ｃを探し出せなかったとき、インク総量Ｏｕｔ３＝４００％と確定することを特徴とする請求項３に記載の方法。
【請求項７】
前記測定結果に基いてインク総量を確定するステップにおいては、
第一インク総量Ｏｕｔ１、第二インク総量Ｏｕｔ２、第三インク総量Ｏｕｔ３をそれぞれ計算し、具体的には、
下記の式４により等量のＣＹＭ３色からなるグレーを計算し、
【数４】
0005953316.tif 000011
ただし、Ｓｕｍｘ１、Ｓｕｍｙ、Ｓｕｍｘ０、Ｓｕｍｘｙ及びｔｅｍｐは、下記の式５により表され、
【数５】
0005953316.tif 000012
上記の式４に基いてｓｐ３を計算する場合において、上記の式５におけるｎｕｍはｍであり、ｘ［ｉ］は前記サンプリング図における等量のＣＹＭ３色からなるグレーの第ｉ網点のパーセントａｉを示し、ｙ［ｉ］は、前記測定手段によって測定された等量のＣＹＭ３色からなるグレーの第ｉ網点の測定値ｓｉを示しており、
等量のＣＹＭＫ４色からなるグレーについて、第１網点から、毎回に連続的なｔ個の網点ずつを取り、ｔ∈［３,ｎ］、下記の式６により順次に計算し、
【数６】
0005953316.tif 000013
上記の式６に基いてｓｐ４を計算する場合において、上記の式５のｎｕｍはｔであり、ｘ［ｉ］は前記サンプリング図における等量のＣＹＭＫ４色からなるグレーの第ｉ網点のパーセントｂｉを示し、ｙ［ｉ］は、前記測定手段によって測定された等量のＣＹＭＫ４色からなるグレーの第ｉ網点の測定値ｔｉを示しており、
具体的には、
１回目：点１、２、．．．．．．、１＋ｔを取って式６に代入し、ｓｐ４［１］を計算し、
２回目：点２、３、．．．．．．、２＋ｔを取って式６に代入し、ｓｐ４［２］を計算し、
．．．．．．
ｉ回目：点ｉ、ｉ＋１、．．．．．．、ｉ＋ｔを取って式６に代入し、ｓｐ４［ｉ］を計算し、
．．．．．．
ｎ−ｔ回目：点ｎ−ｔ、ｎ−ｔ＋１、．．．．．．、ｎを取って式６に代入し、ｓｐ４［ｎ−ｔ］を計算し、
等量のＣＹＭＫ４色からなるグレーについて、ｓｐ４［ｉ＋１］＜ｓｐ４［ｉ］＊係数ＮＬまたはｓｐ４［ｉ＋１］＜ｓｐ３＊係数ＮＬの条件を満たしている第ｉ網点を探し出すことができた場合、探し出した第ｉ網点のパーセントをｋ１とし、インク総量Ｏｕｔ１＝ｋ１＊４と確定し、
前記条件を満たしている第ｉ網点を探し出せなかった場合、インク総量Ｏｕｔ１＝４００％と確定し、
網点のパーセントを横軸とし、前記測定手段による測定値を縦軸とした場合、ＱＤとＱＭによって示された曲線において、前記測定手段による測定値であるｓｍと同じ値を探し出すことができたとき、前記曲線において前記同じ値に対応する網点のパーセントをｋ２とし、インク総量Ｏｕｔ２＝ｋ２＊４と確定し、
前記同じ値の測定値を探し出せなかったとき、インク総量Ｏｕｔ２＝４００％と確定し、
網点のパーセントを横軸とし、前記測定手段による測定値を縦軸とした場合、ＴＤとＴＭによって示された曲線と、ＱＤとＱＭによって示された曲線との交差点Ｃを探し出すことができたとき、探し出した交差点Ｃに対応する網点のパーセントをｋ３とし、インク総量Ｏｕｔ３＝ｋ３＊４と確定し、
前記交差点Ｃを探し出せなかったとき、インク総量Ｏｕｔ３＝４００％と確定し、
インク総量ｏｕｔ＝ｍｉｎ（Ｏｕｔ１,Ｏｕｔ２,Ｏｕｔ３）を確定し、ただし、ｍｉｎ（……）は三つのパラメータの中の最小値を求める関数であることを特徴とする請求項３に記載の方法。
【請求項８】
インクジェット印刷装置のインク総量を確定する装置であって、
前記インクジェット印刷装置にサンプリング図を印刷させる印刷モジュールと、
前記サンプリング図の色を測定する測定手段と、
前記測定手段による測定結果に基いてインク総量を確定する確定モジュールと、
を備え、
前記色にはシアンＣ、マゼンタＭ、イエローＹとブラックＫを含み、
前記印刷モジュールは、
等量のＣＭＹ３色からなる一連のグレーブロックを印刷させる第１の印刷モジュールと、
等量のＣＭＹＫ４色からなる一連のグレーブロックを印刷させる第２の印刷モジュールと、を備えていることを特徴とする装置。
【請求項９】
前記サンプリング図において等量のＣＭＹ３色からなるグレーが順次に逓増する網点のパーセントの集合をＴＤ＝｛ａ１，ａ２，．．．，ａｉ，．．．，ａｍ｝、ａｉ∈［０，１００％］にて示し、
ただし、ａｉは等量のＣＭＹ３色からなるグレーの第ｉ網点のパーセントを示し、
ｍは等量のＣＭＹ３色からなるグレーのカラーブロックの個数を示し、
前記サンプリング図において等量のＣＭＹＫ４色からなるグレーが順次に逓増する網点のパーセントの集合をＱＤ＝｛ｂ１，ｂ２，．．．．．．，ｂｉ，．．．．．．，ｂｎ｝、ｂｉ∈［０，１００％］にて示し、
ただし、ｂｉは等量のＣＭＹＫ４色からなるグレーの第ｉ網点のパーセントを示し、
ｎは等量のＣＭＹＫ４色からなるグレーのカラーブロックの個数を示し、
カラーブロックの網点のパーセントが、ａ１≧ｂ１、ａｍ＝ｂｎ＝１００％という関係を満たしており、
前記第１の印刷モジュールは、等量のＣＭＹ３色からなり、かつ、ＴＤにて表される一連のグレーブロックを印刷させ、
前記第２の印刷モジュールは、等量のＣＭＹＫ４色からなり、かつ、ＱＤにて表される一連のグレーブロックを印刷させることを特徴とする請求項８に記載の装置。
【請求項１０】
前記サンプリング図において等量のＣＭＹ３色からなるグレーブロックの色集合をＴＣ＝｛ｐ１，ｐ２，．．．．．．，ｐｉ，．．．．．．，ｐｍ｝にて示し、
ただし、ｐｉは等量のＣＭＹ３色からなるグレーブロックにおける第ｉ網点の色を示し、
前記サンプリング図において等量のＣＭＹＫ４色からなるグレーブロックの色集合をＱＣ＝｛ｑ１，ｑ２，．．．．．．，ｑｉ，．．．．．．，ｑｎ｝にて示し、
ただし、ｑｉは等量のＣＭＹＫ４色からなるグレーブロックにおける第ｉ網点の色を示し、
前記測定手段は、
等量のＣＭＹ３色からなる一連のグレーブロックを測定し、前記測定結果としてＴＭ＝｛ｓ１，ｓ２，．．．．．．，ｓｉ，．．．．．．，ｓｍ｝を取得する第１の測定モジュールと、
等量のＣＭＹＫ４色からなる一連のグレーブロックを測定し、前記測定結果としてＱＭ＝｛ｔ１，ｔ２，．．．．．．，ｔｉ，．．．．．．，ｔｎ｝を取得する第２の測定モジュールと、を備えており、
ただし、ｓｉは集合ＴＣにおけるカラーブロックｐｉの測定値を示し、
ｔｉは集合ＱＣにおけるカラーブロックｑｉの測定値を示し、
ｐｉ＝｛Ｃｉ＋Ｍｉ＋Ｙｉ｝にて表されるＣｉ、Ｍｉ、Ｙｉは等量のＣＭＹ３色からなるグレーブロックの第ｉ網点におけるＣ、Ｍ、Ｙの網点のパーセントをそれぞれ示し、かつ、Ｃｉ＝Ｍｉ＝Ｙｉ＝ａｉという関係を満足し、
ｑｉ＝｛Ｃｉ＋Ｍｉ＋Ｙｉ+Ｋｉ｝にて表されるＣｉ、Ｍｉ、Ｙｉ、Ｋｉは、等量のＣＭＹＫ４色からなるグレーブロックの第ｉ網点におけるＣ、Ｍ、Ｙ、Ｋの網点のパーセントをそれぞれ示し、かつ、Ｃｉ＝Ｍｉ＝Ｙｉ＝Ｋｉ＝ｂｉという関係を満たしていることを特徴とする請求項９に記載の装置。
【請求項１１】
前記確定モジュールは、第一インク総量Ｏｕｔ１、第二インク総量Ｏｕｔ２、第三インク総量Ｏｕｔ３をそれぞれ以下のように計算する第１の計算モジュールを備えており、具体的には、
下記の式７により等量のＣＹＭ３色からなるグレーを計算し、
【数７】
0005953316.tif 000014
ただし、Ｓｕｍｘ１、Ｓｕｍｙ、Ｓｕｍｘ０、Ｓｕｍｘｙ及びｔｅｍｐは、下記の式８により表され、
【数８】
0005953316.tif 000015
上記の式７に基いてｓｐ３を計算する場合において、上記の式８のｎｕｍはｍであり、ｘ［ｉ］は前記サンプリング図における等量のＣＹＭ３色からなるグレーの第ｉ網点のパーセントａｉを示し、ｙ［ｉ］は、前記第１の測定モジュールによって測定された等量のＣＹＭ３色からなるグレーの第ｉ網点の測定値ｓｉを示しており、
等量のＣＹＭＫ４色からなるグレーについて、第１網点から、毎回に連続的なｔ個の網点ずつを取り、ｔ∈［３,ｎ］、下記の式９により順次に計算し、
【数９】
0005953316.tif 000016
上記の式９に基いてｓｐ４を計算する場合において、上記の式８のｎｕｍはｔであり、ｘ［ｉ］は前記サンプリング図における等量のＣＹＭＫ４色からなるグレーの第ｉ網点のパーセントｂｉを示し、ｙ［ｉ］は、前記第２の測定モジュールによって測定された等量のＣＹＭＫ４色からなるグレーの第ｉ網点の測定値ｔｉを示しており、
具体的には、
１回目：点１、２、．．．．．．、１＋ｔを取って式９に代入し、ｓｐ４［１］を計算し、
２回目：点２、３、．．．．．．、２＋ｔを取って式９に代入し、ｓｐ４［２］を計算し、
．．．．．．
ｉ回目：点ｉ、ｉ＋１、．．．．．．、ｉ＋ｔを取って式９に代入し、ｓｐ４［ｉ］を計算し、
．．．．．．
ｎ−ｔ回目：点ｎ−ｔ、ｎ−ｔ＋１、．．．．．．、ｎを取って式９に代入し、ｓｐ４［ｎ−ｔ］を計算し、
等量のＣＹＭＫ４色からなるグレーについて、ｓｐ４［ｉ＋１］＜ｓｐ４［ｉ］＊係数ＮＬまたはｓｐ４［ｉ＋１］＜ｓｐ３＊係数ＮＬの条件を満たしている第ｉ網点を探し出すことができた場合、探し出した第ｉ網点のパーセントをｋ１とし、インク総量Ｏｕｔ１＝ｋ１＊４と確定し、
前記条件を満たしている第ｉ網点を探し出せなかった場合、インク総量Ｏｕｔ１＝４００％と確定し、
網点のパーセントを横軸とし、前記測定手段による測定値を縦軸とした場合、ＱＤとＱＭによって示された曲線において、前記第１の測定モジュールによる測定値であるｓｍと同じ値を探し出すことができたとき、前記曲線において前記同じ値に対応する網点のパーセントをｋ２とし、インク総量Ｏｕｔ２＝ｋ２＊４と確定し、
前記同じ値の測定値を探し出せなかったとき、インク総量Ｏｕｔ２＝４００％と確定し、
網点のパーセントを横軸とし、前記測定手段による測定値を縦軸とした場合、ＴＤとＴＭによって示された曲線と、ＱＤとＱＭによって示された曲線との交差点Ｃを探し出すことができたとき、探し出した交差点Ｃに対応する網点のパーセントをｋ３とし、インク総量Ｏｕｔ３＝ｋ３＊４と確定し、
前記交差点Ｃを探し出せなかったとき、インク総量Ｏｕｔ３＝４００％と確定し、
また、前記確定モジュールは、更に、インク総量ｏｕｔ＝ｍｉｎ（Ｏｕｔ１,Ｏｕｔ２,Ｏｕｔ３）を確定する第２の計算モジュールを備えており、ただし、ｍｉｎ（……）は三つのパラメータの中の最小値を求める関数であることを特徴とする請求項１０に記載の装置。
【発明の詳細な説明】
【技術分野】
【０００１】
本発明は、印刷分野に関し、具体的には、インクジェット印刷装置のインク総量を確定する方法と装置に関する。
【背景技術】
【０００２】
インクジェット印刷装置の動作原理は、一定の大きさのインク滴を被印刷物の表面に噴出することである。このようなプリンターは、液体インクの乾燥に一定の時間が必要なので、紙に噴出されたインク滴の量が大きすぎると、紙がインク滴を速く固定し吸収できない場合に、インク滴が紙で流動したり、拡散したり浸透したりすることを招来する恐れがある問題がある。従って、印刷された画像が汚く、ぼやけていて、コントラストが低下するように見えており、ひいて紙が曲げて変形される。現在のインクジェット印刷装置は最初の４色から、６色、７色、８色に、更に、乃至より多くなり、インク滴の大きさも大、中、小に区分される。異なる複数のインクが同一の箇所に同時に噴出された場合に、インク滴が積み重なりやすく、インクの堆積や流動などの問題になる。
【０００３】
インクが堆積する課題を解決するために、様々な方法が存在している。例えば、紙がインクを積載する可能量を大きくし、インク滴が吸収と固定しやすくなるように紙の表面にコーティングを塗布する。また、インクの特性を変更し、「乾きやすい」インクを使用してもよい。しかしながら、紙とインクの性能を向上することに限界があり、インク堆積の課題を徹底的に解決できない。新規課題を招来し、画像の品質を低下させる可能性がある。特定の紙とインクを使用する条件において、インク堆積の課題を解決するのは、紙に印刷されたインク量を制御することが最も効果的な方法であり、インク堆積を起さないインク噴射量の閾値を確定すべき、つまり、インク総量を判断する。
【０００４】
現在、よく用いられるインク総量を判断する方法は、テストページを印刷し、操作者より一定のルールに基づいて適当なインク総量を判断する。この方法は、判断の結果が主観的要因に影響される問題がある。色に対する感覚が人によって違うため、同じテストページに対しては、異なる人にインク総量を判断させれば、異なる結果が得られることが普通である。そのため、操作者が一定の経験を持たないとインク総量を正しく判断できない。
【発明の概要】
【０００５】
本発明は、従来の技術における主観的要因に大きく影響される問題を解決するために、インクジェット印刷装置のインク総量を確定する方法と装置を提供することを目的とする。
【０００６】
本発明は、コンピューターにより実行される、インクジェット印刷装置のインク総量を確定する方法であって、サンプリング図を印刷するステップと、測定手段によってサンプリング図の色を測定するステップと、測定結果に基いてインク総量を確定するステップと、を含むことを特徴とする方法。
【０００７】
また、本発明は、インクジェット印刷装置のインク総量を確定する装置であって、サンプリング図を印刷する印刷モジュールと、サンプリング図の色を測定する測定手段と、測定結果に基いてインク総量を確定する確定モジュールと、を備えることを特徴とする装置。
【０００８】
本発明のインクジェット印刷装置のインク総量を確定する方法と装置によれば、測定手段によって色を測定するため、従来の技術における主観的要因に大きく影響される問題を解決でき、インクジェット印刷の品質を向上することができる。
【０００９】
以下で説明される図面は、本発明を更に理解するためのものであり、本願の一部分となる。本発明の実施例及びその説明は本発明を解釈するが、本発明に対する不当な制限を構成しない。
【図面の簡単な説明】
【００１０】
【図１】図１は本発明の実施例によるインクジェット印刷装置のインク総量を測定する方法のフローチャートを示す図である。
【図２】図２は本発明の好ましい実施例によるインク総量測定のカラーターゲット図を示す図である。
【図３】図３は本発明の好ましい実施例による測定データを示す図である。
【図４】図４は本発明の好ましい実施例により計算されたインク総量ｏｕｔ１を示す図である。
【図５】図５は本発明の好ましい実施例により計算されたインク総量ｏｕｔ２を示す図である。
【図６】図６は本発明の好ましい実施例によりインク総量を制御する前後の効果を示す図である。
【図７】図７本発明の実施例によるインクジェット印刷装置のインク総量を測定する装置を示す模式図である。
【発明を実施するための形態】
【００１１】
以下、図面を参照しながら実施例で本発明を詳細に説明する。なお、本発明は印刷分野に関し、カラー画像にて印刷装置の色処理の効果を説明することが必要であるが、出版や印刷の都合で、オリジナルのカラー画像はモノクロ画像としてレンダリングされてしまう。以下の説明で、色の状況をできるかぎり文言で説明を行う。
【００１２】
図１には、本発明の実施例によるインクジェット印刷装置のインク総量を測定する方法のフローチャートを示し、この方法は以下のステップを含む。
ステップＳ１０、サンプリング図を印刷し、
ステップＳ２０、測定手段によってサンプリング図の色を測定し、
ステップＳ３０、測定結果に基いてインク総量を確定する。
【００１３】
従来の技術において、人の肉眼によってインク総量を判断するが、本実施例のインク総量を測定する方法は測定手段で色を測定するため、従来の技術における主観的要因に大きく影響される問題を解決でき、インク総量を自動的に正しく判断でき、インクジェット印刷の品質を向上することができる。
【００１４】
好ましくは、原色にはシアンＣ、マゼンタＭ、イエローＹとブラックＫを含み、ステップＳ１０においては、一連の等量のＣＭＹ３色からなるグレーブロックであるＴＤ＝｛ａ１,ａ２,......,ａｉ,......,ａｍ｝、ａｉ∈［０,１００％］を印刷し、一連の等量のＣＭＹＫ４色からなるグレーブロックであるＱＤ＝｛ｂ１,ｂ２,......,ｂｉ,......,ｂｎ｝、ｂｉ∈［０,１００％］を印刷し、ここで、ＴＤが等量のＣＭＹ３色からなるグレーが順次に逓増する網点のパーセントの集合を示し、ａｉが等量のＣＭＹ３色からなるグレーの第ｉ網点のパーセントを示し、ｍが等量のＣＭＹ３色からなるグレーのカラーブロックの個数を示し、ＱＤが等量のＣＭＹＫ４色からなるグレーが順次に逓増する網点のパーセントの集合を示し、ｂｉが等量のＣＭＹＫ４色からなるグレーの第ｉ網点のパーセントを示し、ｎが等量のＣＭＹＫ４色からなるグレーのカラーブロックの個数を示し、カラーブロックの網点のパーセントが、ａ１≧ｂ１、ａｍ＝ｂｎ＝１００％という関係を満たしている。
【００１５】
ＣＭＹＫは印刷出力システムに最もよく用いられる四原色であり、本発明の好ましい実施例はＣＭＹＫ原色を印刷し、ほとんどの場合に適用できる。
【００１６】
図２は本発明の好ましい実施例によるインク総量測定のカラーターゲット図、即ち、サンプリング図を示す。この好ましい実施例において使用されるサンプリング図のカラーブロックは二組のデータであり、一組は等量の３色からなるグレーであり、もう一組は等量の４色からなるグレーである。
【００１７】
カラーターゲット図におけるカラーブロックの網点のパーセントは以下で示され、
３色からなるグレー（２１個のカラーブロック）：
ＴＤ＝｛６０,６２,６４,６６,６８,７０,７２,７４,７６,７８,８０,８２,８４,８６,８８,９０,９２,９４,９６,９８,１００｝  単位％
４色からなるグレー（２６個のカラーブロック）：
ＱＤ＝｛５０,５２,５４,５６,５８,６０,６２,６４,６６,６８,７０,７２,７４,７６,７８,８０,８２,８４,８６,８８,９０,９２,９４,９６,９８,１００｝  単位％
【００１８】
好ましくは、ステップＳ２０においては、一連の等量のＣＭＹ３色からなるグレーブロックであるＴＭ＝｛ｓ１,ｓ２,......,ｓｉ,......,ｓｍ｝を測定し、一連の等量のＣＭＹＫ４色からなるグレーブロックであるＱＭ＝｛ｔ１,ｔ２,......,ｔｉ,......,ｔｎ｝を測定し、ここで、ＴＭが等量のＣＭＹ３色からなるグレーブロックの測定データの集合を示し、ｓｉは集合ＴＣにおけるカラーブロックｐｉの測定値を示し、ＱＭが等量のＣＭＹＫ４色からなるグレーブロックの測定データの集合を示し、ｔｉは集合ＱＣにおけるカラーブロックｑｉの測定値を示し、ＴＣ＝｛ｐ１,ｐ２,......,ｐｉ,......,ｐｍ｝、ＱＣ＝｛ｑ１,ｑ２,......,ｑｉ,......,ｑｎ｝、ここで、ＴＣは等量のＣＭＹ３色からなるグレーブロックの色集合を示し、ｐｉは等量のＣＭＹ３色からなるグレーブロックにおける第ｉ点の色を示し、ｐｉ＝｛Ｃｉ＋Ｍｉ＋Ｙｉ｝、ｉ∈［１,ｍ］、Ｃｉ、Ｍｉ、Ｙｉは等量のＣＭＹ３色からなるグレーブロックの第ｉ点におけるＣ、Ｍ、Ｙの網点のパーセントをそれぞれ示し、Ｃｉ＝Ｍｉ＝Ｙｉ＝ａｉという関係を満足し、ＱＣは等量のＣＭＹＫ４色からなるグレーブロックの色集合を示し、ｑｉは等量のＣＭＹＫ４色からなるグレーブロックにおける第ｉ点の色を示し、ｑｉ＝｛Ｃｉ＋Ｍｉ＋Ｙｉ＋Ｋｉ｝、ｉ∈［１,ｎ］、Ｃｉ、Ｍｉ、Ｙｉ、Ｋｉは等量のＣＭＹＫ４色からなるグレーブロックの各点におけるＣ、Ｍ、Ｙ、Ｋの網点のパーセントをそれぞれ示し、Ｃｉ＝Ｍｉ＝Ｙｉ＝Ｋｉ＝ｂｉという関係を満たしている。
【００１９】
具体的に、図２の好ましい実施例について、サンプリング図におけるカラーブロックの色が下記の式により示され、
ＴＣ＝｛ｐ１,ｐ２,......,ｐｉ,......,ｐｍ｝
ＱＣ＝｛ｑ１,ｑ２,......,ｑｉ,......,ｑｎ｝
ここで、ＴＣは等量の３色からなるグレーブロックの色集合を示し、ｐｉは等量の３色からなるグレーブロックにおけるある色を示し、ｐｉ＝｛Ｃｉ＋Ｍｉ＋Ｙｉ｝、ｉ∈［１,ｍ］（ここで、「＋」がオーバープリント関係を表示する）、Ｃｉ、Ｍｉ、Ｙｉはシアン、マゼンタ、イエローがある点における網点のパーセントをそれぞれ示し、Ｃｉ＝Ｍｉ＝Ｙｉ＝ａｉという関係を満たしている。
また、ＱＣは等量の４色からなるグレーブロックの色集合を示し、ｑｉは等量の４色からなるグレーブロックにおけるある色を示し、ｑｉ＝｛Ｃｉ＋Ｍｉ＋Ｙｉ＋Ｋｉ｝、ｉ∈［１,ｎ］（ここで、「＋」がオーバープリント関係を表示する）、Ｃｉ、Ｍｉ、Ｙｉ、Ｋｉはシアン、マゼンタ、イエロー、ブラックがある点における網点のパーセントをそれぞれ示し、Ｃｉ＝Ｍｉ＝Ｙｉ＝Ｋｉ＝ｂｉという関係を満たしている。
【００２０】
この好ましい実施例において、測定手段によってサンプリング図のカラーブロックを測定し、測定データを取得し、測定値は、色度値Ｌ＊ａ＊ｂにおける明度Ｌ＊または視感濃度（Ｋ濃度値）を使用できる。
【００２１】
測定データは下記の式により示され、
ＴＭ＝｛ｓ１,ｓ２,......,ｓｉ,......,ｓｍ｝
ＱＭ＝｛ｔ１,ｔ２,......,ｔｉ,......,ｔｎ｝
ここで、ＴＭが等量の３色からなるグレーブロックの測定データの集合を示し、ｓｉは集合ＴＣにおけるカラーブロックｐｉの測定値を示し、ＱＭが等量の４色からなるグレーブロックの測定データの集合を示し、ｔｉは集合ＱＣにおけるカラーブロックｑｉの測定値を示す。
【００２２】
測定値は、色度値Ｌ＊ａ＊ｂにおける明度Ｌ＊または視感濃度（Ｋ濃度）を使用でき、この好ましい実施例において、Ｅｐｓｏｎ７８８０プリンター、Ｅｐｓｏｎ８色インク、「Ｅｐｓｏｎ  Ａｄｖａｎｃｅｄ  Ｐｒｏｏｆｉｎｇ  Ｐａｐｅｒ（１９５ｇ）」を使用して図２のサンプリング図を印刷する。測定手段はエックスライト社（Ｘ-Ｒｉｔｅ）のＥｙｅＯｎｅ-ＩＯであり、測定手段におけるＫ濃度を使用する。
【００２３】
ＥｙｅＯｎｅ-ＩＯによってサンプリング図（図２）における等量の３色からなるグレーブロックと、等量の４色からなるグレーブロックの４色濃度を測定し、その中からＫ濃度を取得し、測定されたＫ濃度の結果が図３の表１で示される。
【００２４】
好ましくは、ステップＳ３０においては、下記の式１により等量のＣＹＭ３色からなるグレーを計算し、
【数１】
0005953316.tif 000002
ただし、
【数２】
0005953316.tif 000003
ｎｕｍが等量のＣＹＭ３色からなるグレーの点の個数を示し、ｘ［ｉ］が等量のＣＹＭ３色からなるグレーの第ｉ網点のパーセントを示し、ｙ［ｉ］は等量のＣＹＭ３色からなるグレーの第ｉ点の測定値を示す。
【００２５】
等量のＣＹＭＫ４色からなるグレーのｎ個の分散点において、第１点から、毎回に連続的なｔ個の点ずつを取り、ｔ∈［３,ｎ］、下記の式３により順次に計算し、
【数３】
0005953316.tif 000004
ｎｕｍがｔであり、ｘ［ｉ］が等量のＣＹＭＫ４色からなるグレーの第ｉ網点のパーセントを示し、ｙ［ｉ］は等量のＣＹＭＫ４色からなるグレーの第ｉ点の測定値を示す。
【００２６】
１回目：点１、２、．．．．．．、１＋ｔを取って式３に代入し、ｓｐ４［１］を計算し、
２回目：点２、３、．．．．．．、２＋ｔを取って式３に代入し、ｓｐ４［２］を計算し、
．．．．．．
ｉ回目：点ｉ、ｉ＋１、．．．．．．、ｉ＋ｔを取って式３に代入し、ｓｐ４［ｉ］を計算し、
．．．．．．
ｎ−ｔ回目：点ｎ−ｔ、ｎ−ｔ＋１、．．．．．．、ｎを取って式３に代入し、ｓｐ４［ｎ−ｔ］を計算する。等量のＣＹＭＫ４色からなるグレーのデータに対して、その内のある点Ａまで計算する場合に、ｓｐ４［ｉ＋１］＜ｓｐ４［ｉ］＊ＮＬまたはｓｐ４［ｉ＋１］＜ｓｐ３＊ＮＬを満足すれば、インク総量Ｏｕｔ１＝ｋ１＊４と確定され、ここで、ＮＬは係数であり、ｋ１は点Ａの網点のパーセントである。上記の条件を満たしている点を探し出せなかった場合に、インク総量Ｏｕｔ１＝４００％と確定される。
【００２７】
図４は本発明の好ましい実施例によるインク総量ｏｕｔ１を計算することを示す。これから、この好ましい実施例の式１と式２はサンプリング図の測定されたデータに基づいて曲線を描き、曲線の勾配を求めることに相当すると分かる。具体的には、
サンプリング図の測定されたデータに基づいて曲線を描き、横軸は網点のパーセントであり、縦軸は測定値であり、即ち、等量の３色からなるグレーの曲線データが集合ＴＤとＴＭによって示され、等量のＣＹＭＫ４色からなるグレーの曲線データが集合ＱＤとＱＭによって示される。
【００２８】
曲線の傾向に基づいて、インク堆積またはグラデーション問題がある箇所、つまり、最大のインク総量の箇所を判断し、即ち、曲線の勾配に基づいて曲線の変曲点を探索し、計算ステップが以下の通りである。
等量の３色からなるグレーの分散点図を描き、これらの点に基づいて一本の直線Ｌｉｎｅ３を当てはめ、これらのｍ個の点の横、縦座標データを式１に代入し（式１において、ｎｕｍ＝ｍ）、この直線の勾配を計算し、ｓｐ３とする。
【００２９】
等量の４色からなるグレーデータについても、同様に分散点図を描き、等量の４色からなるグレーの分散点図において、ｎ個の点がある。これらのｎ個の点から、毎回に連続的なｔ（ｔ∈［３,ｎ］）個の点ずつを取って直線を当てはめ、これらのｔ個の点の横、縦座標データを式２に代入し（式２において、ｎｕｍ＝ｔ）、勾配を計算し、図４において、ｔ＝５である。
【００３０】
式２に基づいて、第１点から、下記の方法に従って、順次に計算し、
１回目：点１、２、......、１＋ｔを取って直線Ｌｉｎｅ４１を当てはめ、勾配ｓｐ４［１］を計算し、
２回目：点２、３、......、２＋ｔを取って直線Ｌｉｎｅ４２を当てはめ、勾配ｓｐ４［２］を計算し、
......
ｉ回目：点ｉ、ｉ＋１、......、ｉ＋ｔを取って直線Ｌｉｎｅ４ｉを当てはめ、勾配ｓｐ４［ｉ］を計算し、
ｉ＋１回目：点ｉ＋１、ｉ＋２、......、ｉ＋１＋ｔを取って直線Ｌｉｎｅ４ｉ＋１を当てはめ、勾配ｓｐ４［ｉ＋１］を計算し、
......
ｎ−ｔ回目：点ｎ−ｔ、ｎ−ｔ＋１、......、ｎを取って直線Ｌｉｎｅ４ｎ−ｔを当てはめ、勾配ｓｐ４［ｎ−ｔ］を計算する。
【００３１】
等量の４色からなるグレーのデータに対して、その内のAまで計算する場合に、ｓｐ４［ｉ＋１］＜ｓｐ４［ｉ］＊ＮＬまたはｓｐ４［ｉ＋１］＜ｓｐ３＊ＮＬ（ＮＬは係数であり、図４において、ＮＬ＝０．６）を満足すれば、現在の点Ａに対応する横軸の網点のパーセントｋ１が探し出したい第一インク総量点であり、Ｏｕｔ１とし、Ｏｕｔ１＝ｋ１＊４、図において、探し出したインク総量がＯｕｔ１＝ｋ１＊４＝８２％＊４＝３２８％である。
【００３２】
上記の条件を満たしている点を探し出せなかった場合に、網点のパーセントが１００％の点をインク総量点とし、即ち、ｋ１＝１００％であり、計算されたインク総量の結果はＯｕｔ１＝ｋ１＊４＝１００％＊４＝４００％である。
【００３３】
好ましくは、ステップＳ３０においては、等量のＣＭＹ３色からなるグレーがＣ＝Ｍ＝Ｙ＝１００％の点における濃度を最大濃度とし、等量のＣＭＹＫ４色からなるグレーの曲線において同じ濃度の点Ｂを探し出し、インク総量Ｏｕｔ２＝ｋ２＊４と確定され、ｋ２が点Ｂの網点のパーセントであり、上記の条件を満たしている点を探し出せなかった場合に、インク総量Ｏｕｔ２＝４００％と確定される。
【００３４】
図５は本発明の好ましい実施例によるインク総量ｏｕｔ２を計算することを示す。この好ましい実施例が３色の組合せの最大値の判断方法に基づいて、インク総量ｏｕｔ２を計算する。
【００３５】
当該図において、等量の３色からなるグレーと等量の４色からなるグレーの曲線を描き、等量の３色からなるグレーの曲線の頂点（即ち、Ｃ＝Ｍ＝Ｙ＝１００％の点）の濃度を最大濃度とし、等量のＣＹＭＫ４色からなるグレーの曲線において同じ濃度の点Ｂを探し出し、つまり、当該頂点から横座標軸と平行の方向に沿って一本の直線を描き、点Ｂで等量の４色からなるグレーの曲線と交差し、この点Ｂに対応する横座標ｋ２が探し出したい第二インク総量点であり、Ｏｕｔ２とし、Ｏｕｔ２＝ｋ２＊４である。図において、探し出したいインク総量がＯｕｔ２＝ｋ２＊４＝８６％＊４＝３４４％である。
【００３６】
上記の条件を満たしている点を探し出せなかった場合に、網点のパーセントが１００％の点をインク総量点とし、即ち、ｋ２＝１００％であり、計算されたインク総量の結果はＯｕｔ２＝ｋ２＊４＝１００％＊４＝４００％である。
【００３７】
好ましくは、ステップＳ３０においては、網点のパーセントを横軸とし、測定値を縦軸とし、測定結果によって曲線を描き、ここで、等量のＣＭＹ３色からなるグレーのデータが集合ＴＤとＴＭによって示され、等量のＣＭＹＫ４色からなるグレーのデータが集合ＱＤとＱＭによって示される。等量のＣＭＹ３色からなるグレーの曲線と等量のＣＭＹＫ４色からなるグレーの曲線との交差点Ｃを探し出し、インク総量Ｏｕｔ３＝ｋ３＊４と確定され、ｋ３が点Ｃの網点のパーセントである。等量のＣＭＹ３色からなるグレーの曲線と等量のＣＭＹＫ４色からなるグレーの曲線との交差点がない場合に、インク総量がＯｕｔ３＝４００％と確定される。
【００３８】
当該好ましい実施例は、曲線が交差するかどうかの判断方法に基づいてインク総量Ｏｕｔ３を計算する。図４、図５から、等量のＣＭＹ３色からなるグレーの曲線と等量のＣＭＹＫ４色からなるグレーの曲線との交差点がないので、網点のパーセントが１００％の点をインク総量点とし、即ち、ｋ３＝１００％であり、計算されたインク総量の結果はＯｕｔ３＝ｋ３＊４＝１００％＊４＝４００％であることが分かる。
【００３９】
好ましくは、ステップＳ３０においては、
（Ａ）第一インク総量Ｏｕｔ１、第二インク総量Ｏｕｔ２、第三インク総量Ｏｕｔ３をそれぞれ計算し、具体的なプロセスが既に詳しく説明されたので、ここで省略する。
（Ｂ）インク総量ｏｕｔ＝ｍｉｎ（Ｏｕｔ１,Ｏｕｔ２,Ｏｕｔ３）を確定し、ここで、ｍｉｎ（……）は三つのパラメータの中の最小値を求める関数である。
【００４０】
図４、図５について、ｏｕｔ＝ｍｉｎ（Ｏｕｔ１,Ｏｕｔ２,Ｏｕｔ３）＝ｍｉｎ（３２８％,３４４％,４００％）＝３２８％である。
【００４１】
図６は上記の計算結果（３２８％）を使用して総量を制御する前後の効果を示す図である。左側は総量を制御する前の画像であり、暗部にインクが堆積したと見えて、グラデーションが悪い。右側は総量を制御した後の画像であり、インクが堆積したり、流動することが殆どなく、グラデーションも良く、急峻な変化がなく、本発明の目的を達した。
【００４２】
ここで、出版の原因で、本出願書類のカラー画像はモノクロ画像として開示されているため、本発明実施例の印刷効果をはっきりと表示できないので、文言により説明を行う。
【００４３】
図７は本発明の実施例によるインクジェット印刷装置のインク総量を測定する装置を示す模式図である。この装置は、サンプリング図を印刷する印刷モジュール１０と、サンプリング図の色を測定する測定手段２０と、測定結果に基いてインク総量を確定する確定モジュール３０とを備える。
【００４４】
本装置はインクジェット印刷の品質を向上することができる。
【００４５】
好ましくは、印刷モジュール１０は、一連の等量のＣＭＹ３色からなるグレーブロックであるＴＤ＝｛ａ１,ａ２,......,ａｉ,......,ａｍ｝、ａｉ∈［０,１００％］を印刷する第１の印刷モジュールと、一連の等量のＣＭＹＫ４色からなるグレーブロックであるＱＤ＝｛ｂ１,ｂ２,......,ｂｉ,......,ｂｎ｝、ｂｉ∈［０,１００％］を印刷する第２の印刷モジュールと、を備えており、
ここで、ＴＤが等量のＣＭＹ３色からなるグレーが順次に逓増する網点のパーセントの集合を示し、ａｉが等量のＣＭＹ３色からなるグレーの第ｉ網点のパーセントを示し、ｍが等量のＣＭＹ３色からなるグレーのカラーブロックの個数を示し、ＱＤが等量のＣＭＹＫ４色からなるグレーが順次に逓増する網点のパーセントの集合を示し、ｂｉが等量のＣＭＹＫ４色からなるグレーの第ｉ網点のパーセントを示し、ｎが等量のＣＭＹＫ４色からなるグレーのカラーブロックの個数を示し、カラーブロックの網点のパーセントが、ａ１≧ｂ１、ａｍ＝ｂｎ＝１００％という関係を満たしている。
【００４６】
好ましくは、測定手段２０は、一連の等量のＣＭＹ３色からなるグレーブロックであるＴＭ＝｛ｓ１,ｓ２,......,ｓｉ,......,ｓｍ｝を測定する第１の測定モジュールと、一連の等量のＣＭＹＫ４色からなるグレーブロックであるＱＭ＝｛ｔ１,ｔ２,......,ｔｉ,......,ｔｎ｝を測定する第２の測定モジュールと、を備えており、
ここで、ＴＭが等量のＣＭＹ３色からなるグレーブロックの測定データの集合を示し、ｓｉは集合ＴＣにおけるカラーブロックｐｉの測定値を示し、ＱＭが等量のＣＭＹＫ４色からなるグレーブロックの測定データの集合を示し、ｔｉは集合ＱＣにおけるカラーブロックｑｉの測定値を示し、ＴＣ＝｛ｐ１,ｐ２,......,ｐｉ,......,ｐｍ｝、ＱＣ＝｛ｑ１,ｑ２,......,ｑｉ,......,ｑｎ｝
ここで、ＴＣは等量のＣＭＹ３色からなるグレーブロックの色集合を示し、ｐｉは等量のＣＭＹ３色からなるグレーブロックにおける第ｉ点の色を示し、ｐｉ＝｛Ｃｉ＋Ｍｉ＋Ｙｉ｝、ｉ∈［１,ｍ］、Ｃｉ、Ｍｉ、Ｙｉは等量のＣＭＹ３色からなるグレーブロックの第ｉ点におけるＣ、Ｍ、Ｙ網点のパーセントをそれぞれ示し、Ｃｉ＝Ｍｉ＝Ｙｉ＝ａｉを満足し、ＱＣは等量のＣＭＹＫ４色からなるグレーブロックの色集合を示し、ｑｉは等量のＣＭＹＫ４色からなるグレーブロックにおける第ｉ点の色を示し、ｑｉ＝｛Ｃｉ＋Ｍｉ＋Ｙｉ＋Ｋｉ｝、ｉ∈［１,ｎ］、Ｃｉ、Ｍｉ、Ｙｉ、ＫｉはＣ、Ｍ、Ｙ、Ｋが等量のＣＭＹＫ４色からなるグレーブロックにおける各点の網点のパーセントをそれぞれ示し、Ｃｉ＝Ｍｉ＝Ｙｉ＝Ｋｉ＝ｂｉを満たしている。
【００４７】
好ましくは、確定モジュール３０は、第一インク総量Ｏｕｔ１、第二インク総量Ｏｕｔ２、第三インク総量Ｏｕｔ３をそれぞれ計算する第１の計算モジュールを備えており、具体的には、
等量のＣＹＭ３色からなるグレーを下記の式４により計算し、
【数４】
0005953316.tif 000005
ただし、
【数５】
0005953316.tif 000006
ｎｕｍが等量のＣＹＭ３色からなるグレーの点の個数を示し、ｘ［ｉ］が等量のＣＹＭ３色からなるグレーの第ｉ網点のパーセントを示し、ｙ［ｉ］は等量のＣＹＭ３色からなるグレーの第ｉ点の測定値を示す。
【００４８】
等量のＣＹＭＫ４色からなるグレーのｎ個の分散点において、第１点から、毎回に連続的なｔ個の点ずつを取り、ｔ∈［３,ｎ］、下記の式６により順次に計算し、
【数６】
0005953316.tif 000007
ｎｕｍがｔであり、ｘ［ｉ］が等量のＣＹＭＫ４色からなるグレーの第ｉ網点のパーセントを示し、ｙ［ｉ］は等量のＣＹＭＫ４色からなるグレーの第ｉ点の測定値を示す。
【００４９】
１回目：点１、２、．．．．．．、１＋ｔを取って式６に代入し、ｓｐ４［１］を計算し、
２回目：点２、３、．．．．．．、２＋ｔを取って式６に代入し、ｓｐ４［２］を計算し、
．．．．．．
ｉ回目：点ｉ、ｉ＋１、．．．．．．、ｉ＋ｔを取って式６に代入し、ｓｐ４［ｉ］を計算し、
．．．．．．
ｎ−ｔ回目：点ｎ−ｔ、ｎ−ｔ＋１、．．．．．．、ｎを取って式６に代入し、ｓｐ４［ｎ−ｔ］を計算する。等量のＣＹＭＫ４色からなるグレーのデータに対して、ある点Ａを計算する場合に、ｓｐ４［ｉ＋１］＜ｓｐ４［ｉ］＊ＮＬまたはｓｐ４［ｉ＋１］＜ｓｐ３＊ｎを満足すれば、インク総量Ｏｕｔ１＝ｋ１＊４と確定され、ここで、ＮＬは係数であり、ｋ１は点Ａの網点のパーセントである。上記の条件を満たしている点を探し出せなかった場合に、インク総量Ｏｕｔ１＝４００％を確定する。
【００５０】
３色からなるグレーの曲線のＣ＝Ｍ＝Ｙ＝１００％の点における濃度を最大濃度とし、等量のＣＹＭＫ４色からなるグレーの曲線において同じ濃度の点Ｂを探し出し、インク総量Ｏｕｔ２＝ｋ２＊４を確定し、ｋ２が点Ｂの網点のパーセントである。上記の条件を満たしている点を探し出せなかった場合に、インク総量Ｏｕｔ２＝４００％を確定する。
【００５１】
網点のパーセントを横軸とし、測定値を縦軸とし、測定結果によって曲線を描き、ここで、等量のＣＭＹ３色からなるグレーのデータが集合ＴＤとＴＭによって示され、等量のＣＭＹＫ４色からなるグレーのデータが集合ＱＤとＱＭによって示される。等量のＣＭＹ３色からなるグレーの曲線と等量のＣＭＹＫ４色からなるグレーの曲線との交差点Ｃを探し出し、インク総量Ｏｕｔ３＝ｋ３＊４を確定し、ｋ３が点Ｃの網点のパーセントである。等量のＣＭＹ３色からなるグレーの曲線と等量のＣＭＹＫ４色からなるグレーの曲線との交差点がない場合に、インク総量Ｏｕｔ３＝４００％を確定する。
【００５２】
また、確定モジュール３０は、更に、インク総量ｏｕｔ＝ｍｉｎ（Ｏｕｔ１,Ｏｕｔ２,Ｏｕｔ３）を確定する第２の計算モジュールを備えており、ここで、ｍｉｎ（……）は三つのパラメータの中の最小値を求める関数である。
【００５３】
上記の説明で分かるように、本発明の上記した実施例において、異なる紙とインクと手段を組み合わせて、ほぼ正しいインク総量の値を自動的に測定でき、この値を参考にして、目視観測と組み合わせて、正確的なインク総量の値を判断でき、インクが堆積したり、流動したりする現象及びグラデーション損失を効果的に避けることができる。
【００５４】
言うまでもなく、当業者であれば分かるように、上記した本発明の各モジュールや各ステップは、汎用のコンピューター装置によって実現でき、単一のコンピューター装置に集積されても良く、複数のコンピューター装置からなるネットワークに配置されても良く、任意に、各モジュールや各ステップは、コンピューター装置にて実行可能なプログラムコードで実現でき、それらを記憶装置に記憶して計算装置に実行させても良く、あるいは、それぞれ各集積回路モジュールとして作成しても良く、あるいは、それらの中の複数のモジュール又はステップを単一の集積回路モジュールとして作成して実現しても良い。このように、本発明は、いかなる確定のハードウェアとソフトウェアとの組合せに限定されるものではない。
【００５５】
以上は、本発明の好ましい実施例に過ぎず、本発明を限定するものではない。本発明に対して、様々な変更や変化が可能である。本発明の主旨と原則を離脱しない範囲で、いかなる変更、均等代替、改良なども本発明の保護範囲内に含まれる。
【図１】
0005953316.tif 000017
【図２】
0005953316.tif 000018
【図３】
0005953316.tif 000019
【図４】
0005953316.tif 000020
【図５】
0005953316.tif 000021
【図６】
0005953316.tif 000022
【図７】
0005953316.tif 000023